(57)【特許請求の範囲】
【請求項１】
双方向ＣＡＴＶシステムの引込線に接続されて，該引込線から下り信号を入力するための入力端子と，
前記入力端子から入力された下り信号を増幅する下り増幅回路と，
該増幅回路にて増幅された下り信号を複数に分配する分配回路と，
該分配回路にて分配された下り信号を夫々端末側に出力するための複数の出力端子と，
を備えると共に，
前記複数の出力端子のうち，一部の出力端子は，前記下り信号を前記端末側に出力させるだけの単方向出力端子，残りの出力端子は，前記下り信号を端末側に出力すると共に端末側から入力された上り信号を取り込むための双方向出力端子，として設定され，
前記双方向出力端子と前記入力端子との間には，前記上り信号を伝送するための信号経路が設けられ，
しかも，前記上り信号伝送用の信号経路には，
前記上り信号を増幅する上り増幅回路と，
当該信号経路を通過可能な上り信号の伝送周波数帯を切り換えるための帯域切換回路と，
が設けられていることを特徴とする双方向増幅装置。
【請求項２】
前記双方向出力端子は，複数備えられており，
各双方向出力端子には，夫々，当該双方向出力端子から前記上り信号伝送用の信号経路に向けて前記上り信号を通過させるか否かを切り換えるための上り信号阻止切換スイッチが設けられていることを特徴とする請求項１に記載の双方向増幅装置。
【請求項３】
前記引込線からの下り信号を入力するための入力端子とは別に，衛星受信信号を入力するための入力端子を備えると共に，これら各入力端子から入力された下り信号及び衛星受信信号を混合することにより，前記各出力端子から端末側へ出力させる下り信号を生成する混合手段を備えたことを特徴とする請求項１又は請求項２に記載の双方向増幅装置。
【請求項４】
前記双方向出力端子及び前記単方向出力端子には，夫々，端末側から入力された偏波切換信号を分離するためのフィルタが設けられ，
前記衛星受信信号を入力するための入力端子には，前記分離フィルタにて分離された偏波切換信号を当該入力端子に重畳して，該入力端子から出力させるためのフィルタが設けられていることを特徴とする請求項３に記載の双方向増幅装置。
【発明の詳細な説明】
【０００１】
【発明が属する技術分野】
本発明は，双方向ＣＡＴＶシステムから引込線を介して入力される下り信号を増幅して複数の端末側に分配すると共に，端末側から入力された上り信号を増幅して引込線側に出力する双方向増幅装置に関する。
【０００２】
【従来の技術】
双方向ＣＡＴＶシステムにおいて、各保安器から、各部屋の出力端子（端末端子）まで、信号を引き込む場合、近年、家の大型化に伴い、一般的に分配数が４〜６必要となっており、４〜６分配器が使用される。この分配器の分配損失を補償するために、一般的に双方向増幅器が併用される。この場合、出力端子は全て双方向端子となってしまう。
【０００３】
【発明が解決しようとする課題】
上記のような従来の双方向ＣＡＴＶシステムでは、上述したように、出力端子が全て双方向端子となるため、上り信号帯域と同じ周波数帯域のノイズが出力端子から、侵入し、上述した双方向増幅器で増幅され、ＣＡＴＶ伝送路を通り、ＣＡＴＶセンター装置まで伝送され、他の通信に妨害を与えてしまい、通信ができなくなってしまう恐れがある。この妨害を防止するために、出力端子に上り信号の通過を阻止し、下り信号のみ通過するフィルタ（たとえばハイパスフィルタ）を介在させることで、対策はできるものの、下り信号しか使用しない大部分の出力端子に前記フィルタを設置しなければならず、見映えが悪くなると共に、ユーザーまたは、ＣＡＴＶ事業者が、その費用を負担しなければならないという問題が発生する。また、双方向通信を行う場合でも、上り信号帯域全てを通過するようにすると、特にノイズの多い１０〜３０ＭＨｚ帯では、通信ができなくなる恐れがある。この影響を軽減するため、上記同様、出力端子に例えば、３０ＭＨｚ〜５５ＭＨｚの上り信号および、下り信号のみ通過し、１０ＭＨｚ〜３０ＭＨｚの上り信号を阻止するフィルタを介入させることで対策できるが、２種類のフィルタを適所に設置しなければならず、２種類のフィルタを準備しなければならない上、在庫等を管理する手間も増えるため、好ましくない。
【０００４】
本発明は上記従来の問題点に鑑みなされたもので，端末側に接続される複数の出力端子から入力された上り信号を入力端子からＣＡＴＶ伝送路へ出力可能な双方向増幅装置において，出力端子からの上り信号の入力の制限，及び，上り信号の伝送周波数帯域の切り換えができるようにすること，を目的とする。
【０００５】
【課題を解決するための手段及び発明の効果】
かかる目的を達成するためになされた請求項１に記載の発明は，
双方向ＣＡＴＶシステムの引込線に接続されて，該引込線から下り信号を入力するための入力端子と，
前記入力端子から入力された下り信号を増幅する下り増幅回路と，
該増幅回路にて増幅された下り信号を複数に分配する分配回路と，
該分配回路にて分配された下り信号を夫々端末側に出力するための複数の出力端子と，
を備えると共に，
前記複数の出力端子のうち，一部の出力端子は，前記下り信号を前記端末側に出力させるだけの単方向出力端子，残りの出力端子は，前記下り信号を端末側に出力すると共に端末側から入力された上り信号を取り込むための双方向出力端子，として設定され，
前記双方向出力端子と前記入力端子との間には，前記上り信号を伝送するための信号経路が設けられ，
しかも，前記上り信号伝送用の信号経路には，
前記上り信号を増幅する上り増幅回路と，
当該信号経路を通過可能な上り信号の伝送周波数帯を切り換えるための帯域切換回路と，
が設けられていることを特徴とする双方向増幅装置を要旨としている。
【０００６】
したがって，本発明の双方向増幅装置によれば，ＴＶ受信機やチューナのように，下り信号を伝送するだけでよい機器を接続する際は，これらの機器を，単方向出力端子に接続すればよい。そして，単方向出力端子は，分配回路を介して下り増幅回路が接続されるだけであるので，この端子に上り信号の周波数帯域と同じ周波数のノイズが印加されたとしても，ＣＡＴＶセンターまで伝送されることはない。
【０００７】
また，双方向出力端子に入力された上り信号は，上り信号伝送用の信号経路を介して，入力端子に伝送されるが，この信号経路には，上り信号の伝送周波数帯域を切り換えるための帯域切換回路が設けられている。
【０００８】
このため，例えば，流合雑音レベルが比較的大きい地域では，他の通信に妨害を与える恐れがあるので，帯域切換回路を介して，上り信号の伝送周波数帯域を，通常時の周波数帯域（例えば１０ＭＨｚ〜５５ＭＨｚ）よりも狭い周波数帯域（例えば３０ＭＨｚ〜５５ＭＨｚ）に切り換えることで，１０ＭＨｚ〜３０ＭＨｚで通信している他のサービスに影響を与えないようにすることができる。
なお，双方向出力端子が必要ない時，換言すれば，双方向対応の端末装置（ＳＴＢやケーブルモデム等）を接続しない一般のＴＶ受像機のみ接続したい場合は，上り信号の伝送周波数帯域をゼロに設定できるようにしてもよい。
【０００９】
次に，請求項２に記載の双方向増幅装置においては，双方向出力端子が複数備えられており，各双方向出力端子には，夫々，当該双方向出力端子から上り信号伝送用の信号経路に向けて上り信号を通過させるか否かを切り換えるための上り信号阻止切換スイッチが設けられている。
このため，請求項２に記載の双方向増幅装置によれば，上り信号阻止切換スイッチを操作することで，各双方向出力端子を，夫々，単方向出力端子として機能させることができるようになり，双方向出力端子の双方向・単方向が選択できる。
また，帯域切換回路と上り信号阻止切換スイッチとの操作によって，例えば，双方向（１０ＭＨｚ〜５５ＭＨｚ），双方向（３０ＭＨｚ〜５５ＭＨｚ），単方向が自在に設定可能であり，将来に渡り，双方向対応の端末装置の変化にも対応できるという優れた効果を奏する。
また次に，請求項３に記載の双方向増幅装置においては，前記引込線からの下り信号を入力するための入力端子とは別に，衛星受信信号を入力するための入力端子を備えると共に，これら各入力端子から入力された下り信号及び衛星受信信号を混合することにより，前記各出力端子から端末側へ出力させる下り信号を生成する混合手段を備えている。
このため，請求項３に記載の双方向増幅装置によれば，ＣＡＴＶシステムから伝送されてくる下り信号に加えて，ＢＳアンテナやＣＳアンテナ等で受信された衛星受信信号についても，端末側に伝送することができる。
また，次に，請求項４に記載の双方向増幅装置においては，前記双方向出力端子及び前記単方向出力端子には，夫々，端末側から入力された偏波切換信号を分離するためのフィルタが設けられ，前記衛星受信信号を入力するための入力端子には，前記分離フィルタにて分離された偏波切換信号を当該入力端子に重畳して，該入力端子から出力させるためのフィルタが設けられている。
このため，請求項４に記載の双方向増幅装置によれば，ユーザーは偏波を意識せず，ＣＳチューナで選局するだけで，希望の放送を受信できる。さらに，複数個ある出力端子のうち，ＣＳチューナをいずれの端子にも接続できる。換言すれば，どの部屋にでも接続できるので，必要に応じてＣＳチューナを設置する部屋を任意に決めることができるという優れた効果を奏する。
【００１０】
【発明の実施の形態】
以下に，本発明の実施例を図面と共に説明する。
まず図６は，双方向ＣＡＴＶシステムの構成を表す構成図である。
図６において，１は住宅で，集合住宅や個別住宅（一戸建て）がある。２はＣＡＴＶシステムからの引込線，３はＣＳ信号を受信するＣＳアンテナ，３ａはＣＳ受信信号をＩＦ帯に変換するＣＳコンバータ，４はＢＳ信号を受信するＢＳアンテナ，４ａはＢＳ受信信号をＩＦ帯に変換するＢＳコンバータ，５は双方向増幅器（本発明の双方向増幅装置に相当する。以下，単に増幅器ともいう），６はＢＳ・ＣＳ信号を受信し，映像・音声等信号を出力するチューナ，５６は上記チューナ６が出力した映像・音声を出力するためのＴＶ受像機，５７はケーブルモデム，５８は情報端末装置，５９はセットトップボックス（以下，ＳＴＢという）である。
また，７，８，９は双方向増幅器５の入力端子であり，７は，ＣＡＴＶ引込線２に接続されて，ＣＡＴＶ引込線２からの第一の信号（ＶＨＦおよびＵＨＦの信号を含むもので，周波数は，例えば６９ＭＨｚ〜７７０ＭＨｚである。以下，双方向下り信号という）を入力し，第四の信号（周波数は，例えば１０ＭＨｚ〜５５ＭＨｚである。以下，双方向上り信号という）を出力するための入力端子，８は，衛星通信受信用のＣＳコンバータ３ａが出力する第三の信号（周波数は，例えば１５２７ＭＨｚ〜２１５０ＭＨｚである。以下，ＣＳ−ＩＦ信号という）を入力するための入力端子，９は，衛星放送受信用のＢＳコンバータ４ａが出力する第二の信号（周波数は，例えば１０３５ＭＨｚ〜１３３５ＭＨｚである。以下，ＢＳ−ＩＦ信号という）を入力するための入力端子である。
尚，入力端子７には，ＣＡＴＶ引込線２の代わりに混合器５５の出力信号が接続される可能性がある。混合器５５には，ＶＨＦ受信アンテナ５３，ＵＨＦ受信アンテナ５４がそれぞれ接続されている。
また，１０は，双方向増幅器５の第一の出力端子（以下，双方向出力端子という）であり，後述する上り信号阻止切換スイッチ１２を操作することにより，双方向または単方向のいずれか一方を選択できる。また，１１は，双方向増幅器５の第二の出力端子（以下，単方向出力端子という）であり，この出力端子１１からは下り信号のみ出力される。
【００１１】
次に，双方向増幅器５の構成について，図１を用いて詳細に説明する。
双方向増幅器５には，双方向下り信号を入力するための入力端子７，ＣＳ−ＩＦ信号を入力するための入力端子８，ＢＳ−ＩＦ信号を入力するための入力端子９，双方向と単方向が切換可能な複数の双方向出力端子１０，複数の単方向出力端子１１，および電源入力のためのプラグ３９が設けられている。また，入力端子７，入力端子８，入力端子９，双方向出力端子１０，単方向出力端子１１には，それぞれ避雷素子が取付けられている。
図１において，ユーザーが外部の双方向ＣＡＴＶシステムのセンター装置に有料番組の視聴予約やテレビショッピング等のためのデータを送信するため，そのデータをパーソナルコンピュータ等の情報端末装置で生成した際，これをケーブルモデム５７にて外部の双方向ＣＡＴＶシステムで伝送可能な双方向上り信号に変換して送出し，この双方向上り信号は同軸ケーブルを伝送して双方向増幅器５の双方向出力端子１０に入力される。また，同様にＳＴＢ５９の操作ボタンを操作することにより，上記の双方向上り信号が上記双方向出力端子１０に入力される。
双方向出力端子１０に入力された双方向上り信号は，後述する電源信号分離フィルタ４１に入力され，上記増幅器５内に取り込まれる。電源信号分離フィルタ４１に入力された双方向上り信号は，後述する双方向上り信号阻止切換スイッチ１２，混合回路としての分配混合回路２７に入力される。
分配混合回路２７で他の双方向出力端子１０の双方向上り信号と混合された双方向上り信号は，双方向下り信号，ＢＳ−ＩＦ信号，ＣＳ−ＩＦ信号を阻止し，双方向上り信号を通過させるフィルタ１８（例えばローパスフィルタ。以下，ＬＰＦという），後述する帯域切換回路１７で所定の帯域幅に制限され，利得調整回路１６，増幅回路１５，減衰回路１４で所定レベルに増幅または減衰され，双方向下り信号を阻止し双方向上り信号を通過するフィルタ１３を介して，入力端子７へ伝送される。そして，その伝送された双方向上り信号は，入力端子７に接続されたケーブルにより，ＣＡＴＶセンター装置へ伝送され，センター装置で処理される。
【００１２】
次に，ＣＡＴＶ引込線２により伝送されてきた双方向下り信号は，増幅器５の入力端子７に入力される。入力端子７に入力された双方向下り信号は，双方向上り信号を阻止し，双方向下り信号のみ通過するフィルタ１９（例えばハイパスフィルタ。以下，ＨＰＦという）に入力され，増幅器５内に取り込まれる。
フィルタ１９に入力された双方向下り信号は，８００ＭＨｚ帯の妨害波を除去するためのフィルタ２０（例えばＬＰＦ），減衰回路２１，利得調整回路２２，増幅回路２３，チルト回路２４，増幅回路２３で所定レベルまで増幅され，ＣＡＴＶ上り信号が通過して，ＢＳ・ＣＳ−ＩＦ信号の通過を阻止するためのフィルタ２５（例えばＬＰＦ）に伝送され，後述する入力端子８，入力端子９からのＢＳ・ＣＳ−ＩＦ信号と合成されて，分配回路３６に入力される。
分配回路３６で等分に分配された下り信号（詳しくは双方向下り信号，ＢＳ・ＣＳ−ＩＦ信号が合成された信号）の一方は，双方向上り信号を阻止し，双方向下り信号とＢＳ−ＩＦ信号，ＣＳ−ＩＦ信号を通過するフィルタ２６（例えばＬＰＦ）に入力される。そして，このフィルタ２６を通過した信号は，上記の分配混合回路２７に入力されて４分配された後，各々上り信号阻止切換スイッチ回路１２，電源信号分離フィルタ４１を介して双方向出力端子１０に出力され，双方向出力端子１０に接続された同軸ケーブルを伝送されて，ＢＳ・ＣＳチューナ６，ＴＶ受像機５６で受信される。
また，分配回路３６で等分に分配された下り信号のもう一方は，フィルタ２６と同じ特性のフィルタ３７を介して，分配回路３８に入力され，分配回路３８で４分配される。そして，その４分配された下り信号は，夫々，電源信号分離フィルタ４１を介して単方向出力端子１１に出力され，単方向出力端子１１に接続された同軸ケーブルを伝送されて，ＢＳ・ＣＳチューナ６，ＴＶ受像機５６で受信される。尚，フィルタ３７がなくても性能を満足できる場合は，フィルタ３７を無くしてもよい。
【００１３】
次にＣＳ信号は、ＣＳアンテナ３及びＣＳコンバータ３ａで受信され、ＣＳ−ＩＦ信号がＣＳコンバータ３ａから出力される。ＣＳ−ＩＦ信号は、ＣＳコンバータ３ａと増幅器５の入力端子８の間を、同軸ケーブルで伝送され、入力端子８に入力される。入力端子８に入力されたＣＳ−ＩＦ信号は、後述する電源信号分離フィルタ４９に入力され、増幅器５に取り込まれる。電源信号分離フィルタ４９に入力されたＣＳ−ＩＦ信号は、減衰回路２８、利得調整回路２９、ＣＳ−ＩＦ信号を通過させ、ＢＳ−ＩＦ信号を阻止するフィルタ３０（例えばＨＰＦ）を介して伝送され、後述する入力端子９から伝送されるＢＳ−ＩＦ信号と合成され、増幅回路３４で所定レベルまで増幅され、ＣＡＴＶ下り信号を阻止してＣＳ・ＢＳ−ＩＦ信号のみ通過するフィルタ３５まで伝送される。フィルタ３５を通過したＣＳ・ＢＳ−ＩＦ信号は、上記双方向下り信号と合成され、上記分配回路３６へ伝送される。尚、分配回路３６から双方向出力端子１０、単方向出力端子１１まで伝送される過程は、双方向下り信号の伝送と同一であり、説明が重複するので省略する。
【００１４】
同様にＢＳ信号は、ＢＳアンテナ４及びＢＳコンバータ４ａで受信され、ＢＳ−ＩＦ信号がＢＳコンバータ４ａから出力される。ＢＳ−ＩＦ信号は、ＢＳコンバータ４ａと増幅器５の入力端子９の間を、同軸ケーブルで伝送され、入力端子９に入力される。入力端子９に入力されたＢＳ−ＩＦ信号は、電源信号分離フィルタ４９に入力され、増幅器５に取り込まれる。電源信号分離フィルタ４９に入力されたＢＳ−ＩＦ信号は、減衰回路３１、利得調整回路３２、ＢＳ−ＩＦ信号を通過させ、ＣＳ−ＩＦ信号を阻止するフィルタ３３（例えばＬＰＦ）を介して伝送され、上記ＣＳ−ＩＦ信号と合成されて増幅回路３４に入力される。増幅回路３４から双方向出力端子１０、単方向出力端子１１まで伝送される過程は、ＣＳ−ＩＦ信号の伝送と同一であり、説明が重複するので省略する。
【００１５】
次に、プラグ３９にＡＣ１００Ｖが印加されると、電源回路４０によりＤＣ１５Ｖが出力される。ＤＣ１５Ｖは、増幅回路１５、２３、３４へ供給される。また、ＤＣ１５Ｖは入力端子９に接続された電源信号分離フィルタ４９にも供給される。電源信号分離フィルタ４９は図５に示すように、ＢＳ−ＩＦ信号入力・電源出力端子４９ａとＢＳ−ＩＦ信号出力端子４９ｂの間に、ＢＳ−ＩＦ信号を通過させ、直流または低周波信号を阻止するコンデンサ５１が接続され、電源出力端子４９ａと電源入力端子４９ｃの間に、コンバータの動作用電源として、また、偏波切換用として使用している直流または低周波信号を通過させ、ＢＳ−ＩＦ信号を阻止するチョークコイル５２が接続されている。また、入力端子８に接続された電源分離フィルタ４９も同様の構成であるが、ＣＳ−ＩＦ信号入力・電源出力端子４９ａと電源入力端子４９ｃの間に接続されたチョークコイル５２には、ＣＳコンバータ３ａの動作用電源として、且つ、偏波切換用として使用する直流、および偏波切換用の低周波信号またはパルス信号を通過させる。尚、ＢＳ−ＩＦ信号入力・電源出力端子４９ａが上記入力端子９に接続され、ＢＳ−ＩＦ信号出力端子４９ｂが上記減衰回路３１と接続されている。電源入力端子４９ｃが上記電源回路４０に接続されている。
【００１６】
次に、双方向出力端子１０、単方向出力端子１１に接続されたＣＳ−ＩＦ信号受信中のＣＳチューナ６またはＳＴＢ５９でユーザーが選局すると、選局したチャンネルに対応する偏波切換信号が上記ＣＳチューナ６、ＳＴＢ５９の受信入力端子へ出力される（本実施例ではＤＣ１１Ｖまたは１５Ｖ）。偏波切換信号は、上記ＣＳチューナ６、ＳＴＢ５９と接続された同軸ケーブルを伝送して、双方向出力端子１０または単方向出力端子１１に入力される。双方向出力端子１０、単方向出力端子１１に入力された偏波切換信号は、ＣＳ−ＩＦ信号出力・偏波切換信号入力端子４１ｂに入力される。電源信号分離フィルタ４１は図４に示すように、ＣＳ−ＩＦ信号入力端子４１ａとＣＳ−ＩＦ信号出力・偏波切換信号入力端子４１ｂの間に、ＣＳ−ＩＦ信号を通過させ、直流または低周波信号を阻止するコンデンサ４６が接続され、ＣＳ−ＩＦ信号出力・偏波切換信号入力端子４１ｂと偏波切換信号出力端子４１ｃの間に、直流または低周波信号を通過させ、ＣＳ−ＩＦ信号を阻止するチョークコイル４７とダイオード４８が直列に接続されている。尚、ＣＳ−ＩＦ信号入力端子４１ａが上記上り信号阻止切換スイッチ１２に接続され、ＣＳ−ＩＦ信号出力・偏波切換信号入力端子４１ｂが上記双方向出力端子１０または単方向出力端子１１と接続されている。偏波切換信号出力端子４１ｃが入力端子８に接続された上記電源入力端子４９ｃに接続されている。尚、ダイオード４８は、複数の双方向出力端子１０、単方向出力端子１１により同時にＣＳ受信信号の偏波切換信号が入力された場合、ＢＳ・ＣＳチューナ６、ＳＴＢ５９が故障しないようにするための逆流防止ダイオードである。また、ダイオード４８のＯＲ接続により、双方向出力端子１０、単方向出力端子１１のいずれの端子にもＢＳ・ＣＳチューナ６、ＳＴＢ５９が接続できる。次に、上り信号阻止切換スイッチ１２は図２に示すように、２回路２接点スイッチ５０、双方向上り信号を阻止し双方向下り信号、ＢＳ−ＩＦ信号、ＣＳ−ＩＦ信号を通過するフィルタ４２（例えばＨＰＦ）が図に示すごとく接続されている。２回路２接点スイッチ５０を操作することにより、双方向伝送と単方向伝送を選択できるようになっている。スイッチ５０を５０ａ側に選択すると、ＣＡＴＶ上り信号、ＣＡＴＶ下り信号、ＣＳ−ＩＦ信号、ＢＳ−ＩＦ信号が全て通過できる双方向伝送となる。一方、スイッチ５０を５０ｂ側に選択すると、双方向上り信号を阻止し、下り信号を通過させるフィルタ４２（例えばＨＰＦ）が直列に介設されることになり、ＣＡＴＶ上り信号を阻止して、ＣＡＴＶ下り信号、ＣＳ−ＩＦ信号、ＢＳ−ＩＦ信号のいわゆる下り信号のみ通過できる単方向伝送となる。
【００１７】
次に帯域切換回路１７は、図３に示すように２回路３接点スイッチ４３、双方向上り信号のうち一部の帯域（例えば３０ＭＨｚ〜５５ＭＨｚ）の信号を通過できるフィルタ４４（例えばＨＰＦ）及び、２個の終端抵抗器４５を図のごとく接続したものである。２回路３接点スイッチ４３を操作することにより、双方向上り信号（例えば１０ＭＨｚ〜５５ＭＨｚ）全帯域を通過させるか、または、双方向上り信号の一部帯域（例えば３０ＭＨｚ〜５５ＭＨｚ）のみを通過させるか、または、双方向上り信号の通過を阻止するか、のいずれかを選択させることが可能になっている。具体的には、２回路３接点スイッチ４３で４３ａ側を選択した場合、双方向出力端子１０から入力端子７に対して、双方向上り信号の全帯域の信号が通過できる。また、２回路３接点スイッチ４３で４３ｂ側を選択した場合、双方向出力端子１０から入力端子７に対して、双方向上り信号のうち、一部の帯域の信号のみ通過できる。また、２回路３接点スイッチ４３で４３ｃ側を選択した場合、双方向出力端子１０から入力された双方向上り信号が終端抵抗器４５で終端される。また、利得調整回路１６の一端も終端抵抗器４５で終端されるため、回路インピーダンスを乱すことなく双方向上り信号を阻止することができる。従って、上り信号阻止切換スイッチ１２で単方向を選択するより、入出力間のアイソレーションが高くなるという効果がある。
【００１８】
尚、下り回線が入力端子７、フィルタ１９、フィルタ２０、減衰回路２１、利得調整回路２２、増幅回路２３、フィルタ２４、増幅回路２３、フィルタ２５、分配回路３６、フィルタ２６、分配混合回路２７、上り信号阻止切換スイッチ１２、電源信号分離フィルタ４１、フィルタ３７、分配回路３８、電源信号分離フィルタ４１、双方向出力端子１０、単方向出力端子１１に相当し、衛星受信回線が入力端子８、電源信号分離フィルタ４９、減衰回路２８、利得調整回路２９、フィルタ３０、増幅回路３４、フィルタ３５、分配回路３６、フィルタ２６分配混合回路２７、上り信号阻止切換スイッチ１２、電源信号分離フィルタ４１、双方向出力端子１０、フィルタ３７、分配回路３８、電源信号分離フィルタ４１、単方向出力端子１１、入力端子９、電源信号分離フィルタ４９、減衰回路３１、利得調整回路３２、フィルタ３３に相当し、上り回線が双方向出力端子１０、電源信号分離フィルタ４１、上り信号阻止切換スイッチ１２、分配混合回路２７、フィルタ１８、帯域切換回路１７、利得調整回路１６、増幅回路１５、減衰回路１４、フィルタ１３、入力端子７に相当し、分配手段が分配回路３６に相当し、帯域切換手段が帯域切換回路１７に相当し双方向・単方向切り換え手段が上り信号阻止切換スイッチ１２に相当する。増幅器５本体は、アルミダイカスト製で作られているためシールド性がよく、外部からのノイズの影響を受けない。図７において、底面には入力端子７、入力端子８、入力端子９、プラグ３９が突設されており、上面には複数の双方向出力端子１０、単方向出力端子１１が突設されている。図９に示すように、単方向出力端子１１は前後にＬだけ段差を設けている。これは、増幅器５を壁Ｗに設置した際、Ｆ型プラグＣの着脱作業を容易にするためである。これにより、分電盤のようなせまい場所でも、作業が用意にすることができる。また、各双方向出力端子１０の近くには上り信号阻止切換スイッチ１２が設けているので、集中的に上り信号阻止切換スイッチ１２を設けた場合に比べて、操作ミスを防止できる。正面には帯域切換回路１７、フィルタ２４が設けられており、さらに利得調整回路１６、２２、２９、３２、減衰回路１４、２１、２８、３１が図のように設けられている。また、正面右上には、動作状態を示すパイロットランプＰＬが設けられている。パイロットランプＰＬは、動作中にランプが点灯するようになっている。尚、上記実施の形態は、増幅器５が屋内用として使用する場合について説明したが、防水型のケースに収容することにより、屋外で使用するなど、状況に応じて容易に変更できる。
【図面の簡単な説明】
【図１】双方向増幅器の構成を示す構成図。
【図２】上り切換スイッチ１２の回路図。
【図３】帯域切換器１７の回路図。
【図４】電源信号分離フィルタ４１の回路図。
【図５】電源信号分離フィルタ４９の回路図。
【図６】双方向ＣＡＴＶシステムの構成を示す構成図。
【図７】双方向増幅器の斜視図。
【図８】双方向増幅器の平面図。
【図９】双方向増幅器の側面図。
【符号の説明】
１…住宅、２…ＣＡＴＶシステムからの引込線、３ａ…ＣＳコンバータ、４ａ…ＢＳコンバータ、５…増幅器、６…ＢＳ・ＣＳチューナ、７…入力端子、８…入力端子、９…入力端子、１０…双方向出力端子、１１…単方向出力端子、１２…上り信号阻止切換スイッチ、１４…減衰回路、１５…増幅回路、１７…帯域切換回路、４１…電源信号分離フィルタ、４９…電源信号分離フィルタ、５６…テレビまたはＢＳ・ＣＳチューナ内臓のテレビ、５７…ケーブルモデム
【図１】
0004582873.tif 000002
【図２】
0004582873.tif 000003
【図３】
0004582873.tif 000004
【図４】
0004582873.tif 000005
【図５】
0004582873.tif 000006
【図６】
0004582873.tif 000007
【図７】
0004582873.tif 000008
【図８】
0004582873.tif 000009
【図９】
0004582873.tif 000010